(57)【要約】【課題】ノズル本体の吐水口に汚れが付着することをノズルカバーによって抑え、かつノズル本体とノズルカバーの位置が不意に切り替わることを抑えることのできる局部洗浄装置を、コンパクトな構造で提供する。【解決手段】局部洗浄装置は、ノズルカバー２に対するノズル本体１の相対位置を、ノズルカバー２のスライド位置に応じて切り替える機構を備える。この機構は、ノズル本体１に装着される中間部材５を用いた機構であり、ノズルカバー２が所定のスライド位置にあるときは、中間部材５の突起５１がノズルカバー２の第１引掛溝２５１に引っ掛かり、ノズルカバー２が別のスライド位置に至ったときには、中間部材５が回転し、突起５１がノズルカバー２の第２引掛溝２５２に引っ掛かるように構成されている。【選択図】図５
2018028244.tif 000002
【特許請求の範囲】
【請求項１】
一方向に伸びるように形成され、第１吐水口と第２吐水口を前記一方向に沿って互いに距離をあけて有するノズル本体と、
前記ノズル本体の少なくとも一部を覆い、かつ前記ノズル本体との間で前記一方向の相対位置が変更自在となるように連結され、前記第１吐水口と前記第２吐水口の一方に選択的に連通可能な一つの貫通孔を有するノズルカバーと、
前記ノズルカバーを前記一方向に沿って前後にスライド自在に支持するベースと、
前記ノズルカバーを前記一方向にスライドさせ、前記ベースに対する前記ノズルカバーのスライド位置を、所定の収納位置と、前記収納位置より前側の第１洗浄位置と、前記第１洗浄位置より前側の第２洗浄位置との間で、自在に変更させる駆動機構と、
前記ノズルカバーに対する前記ノズル本体の相対位置を、前記第１吐水口が前記貫通孔に連通する第１の相対位置と、前記第２吐水口が前記貫通孔に連通する第２の相対位置との間で切り替える切替機構と、を具備し、
前記切替機構は、
前記ノズル本体に対して周方向に回転自在に装着され、かつ、外方に突出する突起を有する中間部材と、
前記突起が挿入されるように前記ノズルカバーに形成された溝部と、
前記中間部材を、前記ノズルカバーのスライド位置に応じて回転させる回転操作部と、を備え、
前記溝部は、
互いに連続し、かつ前記突起が選択的に引っ掛かることができる第１引掛溝と第２引掛溝を含み、
前記回転操作部は、
前記ノズルカバーが前記収納位置にあるときに、前記中間部材を、前記突起が前記第１引掛溝に引っ掛かる第１の回転位置に保持させ、これにより、前記ノズル本体を前記ノズルカバーに対して前記第１の相対位置で保持させ、前記ノズルカバーが前記第２洗浄位置にあるときには、前記中間部材を、前記突起が前記第２引掛溝に引っ掛かる第２の回転位置に保持させ、これにより、前記ノズル本体を前記ノズルカバーに対して前記第２の相対位置で保持させるように構成されている
ことを特徴とする局部洗浄装置。
【請求項２】
前記溝部は、
前記第１引掛溝と前記第２引掛溝の間に設けられた中央溝を、さらに含み、
前記中央溝は、前記突起が前記一方向に沿って前後に移動可能となるように設けられ、
前記第１引掛溝は、前記中央溝の前側の部分から前記周方向に沿って延長され、
前記第２引掛溝は、前記中央溝の後側の部分から前記周方向に沿って前記第１引掛溝とは反対側に延長されている
ことを特徴とする請求項１に記載の局部洗浄装置。
【請求項３】
前記回転操作部は、
前記中間部材に設けられた操作体と、前記ベースに設けられた第１面と、前記ベースの前記第１面とは前記一方向に離れた箇所に設けられた第２面と、を含み、
前記ノズルカバーが前記一方向の後側にスライドして前記収納位置に至るときに、前記第１面に前記操作体が摺接することで前記中間部材を前記第１の回転位置にまで回転させ、
前記ノズルカバーが前記一方向の前側にスライドして前記第１洗浄位置から前記第２洗浄位置に至るときに、前記第２面に前記操作体が摺接することで前記中間部材を前記第２の回転位置にまで回転させるように構成されている
ことを特徴とする請求項１または２に記載の局部洗浄装置。
【請求項４】
前記操作体は、前記突起と一体に設けられている
ことを特徴とする請求項３に記載の局部洗浄装置。
【請求項５】
前記中間部材が前記第１の回転位置と前記第２の回転位置の間で切り替わる途中で、前記中間部材の回転に弾性的な抗力を付与する抗力付与機構を、さらに具備する
ことを特徴とする請求項１〜４のいずれか一項に記載の局部洗浄装置。
【請求項６】
前記抗力付与機構は、
前記中間部材に設けられた弾性部材と、前記ノズル本体に設けられた凸状部と、を含み、
前記中間部材が前記第１の回転位置と前記第２の回転位置の間で切り替わる途中で、前記弾性部材の一部が前記凸状部に当たって弾性的な抗力を付与するように構成されている
ことを特徴とする請求項５に記載の局部洗浄装置。
【発明の詳細な説明】
【技術分野】
【０００１】
本発明は、局部洗浄装置に関し、より詳細には、ノズル本体と、このノズル本体の少なくとも一部を覆うノズルカバーを備える局部洗浄装置に関する。
【背景技術】
【０００２】
従来、ノズルを備える局部洗浄装置として、ノズルの互いに異なる箇所に二つの吐水口（おしり洗浄用の吐水口とビデ洗浄用の吐水口）を設けた局部洗浄装置が知られている。このような局部洗浄装置においては、二つの吐水口のうち非使用時の吐水口に汚れが付着しやすいという問題があった。
【０００３】
これに対して、特許文献１に記載の局部洗浄装置（衛生洗浄装置）では、二つの吐水口を有するノズル本体を、一つの噴出開口を有するノズルカバーで覆い、ノズルカバーとノズル本体の相対位置を変更することで、二つの吐水口の一方だけがノズルカバーの噴出開口に連通するように設けている。特許文献１に記載の局部洗浄装置によれば、二つの吐水口のうち非使用時の吐水口がノズルカバーに覆われ、汚れの付着が抑えられる。
【先行技術文献】
【特許文献】
【０００４】
【特許文献１】特開２００９−２７５３９３号公報
【発明の概要】
【発明が解決しようとする課題】
【０００５】
特許文献１に記載の局部洗浄装置において、ノズル本体とノズルカバーの間の相対的な位置決めは、ノズル本体が有する二つの凹陥部の一方に、ノズルカバーに設けた金属片の突起が弾性的に嵌入することで行われる。ノズル本体とノズルカバーの間の相対的な位置変更は、ノズル本体の移動を規制した状態でノズルカバーを移動させ、この際に加わる負荷によって金属片を弾性変形させ、一方の凹陥部から外した突起を他方の凹陥部に嵌入させることで行われる。
【０００６】
しかし、特許文献１に記載の局部洗浄装置においては、ノズル本体とノズルカバーの相対位置が不意に切り替わる事態を抑えようとすると、構造の大型化を招くという問題があった。
【０００７】
というのも、特許文献１に記載の局部洗浄装置は、金属片の突起が凹陥部に嵌り込む弾性的な保持力で、ノズルカバーをノズル本体に保持する構造であるから、この弾性的な保持力が弱いと、ノズル本体とノズルカバーの相対位置が不意に変更されやすくなる。これを避けるために、金属片による弾性的な保持力を大きく設定した場合には、この保持力を超えてノズル本体とノズルカバーの相対位置を変更させるために、ノズルカバーを移動させる強力な駆動機構（大型のモータ等）が必要となり、結果的に構造が大型化する。
【０００８】
本発明は、ノズル本体の吐水口に汚れが付着することをノズルカバーによって抑え、かつノズル本体とノズルカバーの相対位置が不意に切り替わることを抑えることができる局部洗浄装置を、コンパクトな構造で提供可能にすることを、目的とする。
【課題を解決するための手段】
【０００９】
本発明の一様態に係る局部洗浄装置は、一方向に伸びるように形成され、第１吐水口と第２吐水口を前記一方向に沿って互いに距離をあけて有するノズル本体と、前記ノズル本体の少なくとも一部を覆い、かつ前記ノズル本体との間で前記一方向の相対位置が変更自在となるように連結され、前記第１吐水口と前記第２吐水口の一方に選択的に連通可能な一つの貫通孔を有するノズルカバーと、前記ノズルカバーを前記一方向に沿って前後にスライド自在に支持するベースと、前記ノズルカバーを前記一方向にスライドさせ、前記ベースに対する前記ノズルカバーのスライド位置を、所定の収納位置と、前記収納位置より前側の第１洗浄位置と、前記第１洗浄位置より前側の第２洗浄位置との間で、自在に変更させる駆動機構と、前記ノズルカバーに対する前記ノズル本体の相対位置を、前記第１吐水口が前記貫通孔に連通する第１の相対位置と、前記第２吐水口が前記貫通孔に連通する第２の相対位置との間で切り替える切替機構と、を具備する。
【００１０】
前記切替機構は、前記ノズル本体に対して周方向に回転自在に装着され、かつ、外方に突出する突起を有する中間部材と、前記突起が挿入されるように前記ノズルカバーに形成された溝部と、前記中間部材を、前記ノズルカバーのスライド位置に応じて回転させる回転操作部と、を備える。
【００１１】
前記溝部は、互いに連続し、かつ前記突起が選択的に引っ掛かることができる第１引掛溝と第２引掛溝を含む。
【００１２】
前記回転操作部は、前記ノズルカバーが前記収納位置にあるときに、前記中間部材を、前記突起が前記第１引掛溝に引っ掛かる第１の回転位置に保持させ、これにより、前記ノズル本体を前記ノズルカバーに対して前記第１の相対位置で保持させ、前記ノズルカバーが前記第２洗浄位置にあるときには、前記中間部材を、前記突起が前記第２引掛溝に引っ掛かる第２の回転位置に保持させ、これにより、前記ノズル本体を前記ノズルカバーに対して前記第２の相対位置で保持させるように構成されている。
【発明の効果】
【００１３】
本発明は、ノズル本体の吐水口に汚れが付着することをノズルカバーによって抑え、かつノズル本体とノズルカバーの相対位置が不意に切り替わることを抑えることができる局部洗浄装置を、コンパクトな構造で提供することが可能になるという効果を奏する。
【図面の簡単な説明】
【００１４】
【図１】図１は、一実施形態の局部洗浄装置を示す斜視図である。
【図２】図２は、同上の局部洗浄装置のベースを示す斜視図である。
【図３】図３Ａは、同上の局部洗浄装置の主要部を示す斜視図であり、図３Ｂは、同上の局部洗浄装置の主要部を示す分解斜視図である。
【図４】図４は、同上の主要部を示す側断面図である。
【図５】図５は、同上の主要部を示す側面図である。
【図６】図６Ａは、同上の主要部がビデ洗浄の形態に切り替わる前の状態を示す側面図であり、図６Ｂは、同上の主要部がビデ洗浄の形態に切り替わる途中の第１状態を示す側面図であり、図６Ｃは、同上の主要部がビデ洗浄の形態に切り替わる途中の第２状態を示す側面図であり、図６Ｄは、同上の主要部がビデ洗浄の形態に切り替わった状態を示す側面図である。
【図７】図７Ａは、同上の主要部がビデ洗浄の形態に切り替わる前の状態を示す下面図であり、図７Ｂは、同上の主要部がビデ洗浄の形態に切り替わる途中の第１状態を示す下面図であり、図７Ｃは、同上の主要部がビデ洗浄の形態に切り替わる途中の第２状態を示す下面図であり、図７Ｄは、同上の主要部がビデ洗浄の形態に切り替わった状態を示す下面図である。
【図８】図８Ａは、同上の主要部が収納形態に切り替わる前の状態を示す側面図であり、図８Ｂは、同上の主要部が収納形態に切り替わる途中の第１状態を示す側面図であり、図８Ｃは、同上の主要部が収納形態に切り替わる途中の第２状態を示す側面図であり、図８Ｄは、同上の主要部が収納形態に切り替わった状態を示す側面図である。
【図９】図９は、同上の局部洗浄装置が備える溝部内を突起が移動する様子を示す側面図である。
【発明を実施するための形態】
【００１５】
一実施形態の局部洗浄装置について、添付図面に基づいて詳述する。図１には、本実施形態の局部洗浄装置の全体を示している。図２には、本実施形態の局部洗浄装置のベース９を示し、図３Ａと図３Ｂには、本実施形態の局部洗浄装置の主要部（ベース９に支持されるノズルの部分）を示している。
【００１６】
本実施形態の局部洗浄装置は、使用者の局部洗浄を行うために便器（図示略）に設置される装置であり、便器に設置されるベース９と、一方向Ｄ１に沿ってベース９にスライド自在に支持されたノズルカバー２と、ノズルカバー２に連結されたノズル本体１を備える。
【００１７】
さらに、本実施形態の局部洗浄装置は、ノズルカバー２を一方向Ｄ１に沿って前後に駆動させる駆動機構３を備える。駆動機構３はベース９に配されている。ノズル本体１は、ノズルカバー２に牽引されることで、ノズルカバー２と共に前後に駆動される。
【００１８】
本文中で用いる「前側」は、局部洗浄時にノズルカバー２とノズル本体１が一方向Ｄ１に沿って突出する側であり、「後側」はこれの反対側である。ノズルカバー２の一方向Ｄ１に沿ったスライド範囲のうち、最も後側の位置が所定の収納位置Ｐ０である（図１、図４等参照）。
【００１９】
本実施形態の局部洗浄装置では、収納位置Ｐ０よりも一方向Ｄ１に沿って前側に第１洗浄位置Ｐ１（図５参照）が設けられている。ノズルカバー２が第１洗浄位置Ｐ１にあるときに、使用者のおしり洗浄を行う。第１洗浄位置Ｐ１よりも一方向Ｄ１に沿ってさらに前側に、第２洗浄位置Ｐ２（図６Ｄ，図７Ｄ参照）が設けられている。ノズルカバー２が第２洗浄位置Ｐ２にあるときに、使用者のビデ洗浄を行う。おしり洗浄は肛門の洗浄であり、ビデ洗浄は女性器の洗浄である。
【００２０】
ノズル本体１のノズルカバー２に対する相対位置は、ノズルカバー２のスライド位置に応じて、機構的に切り替えられる。ノズル本体１の相対位置を切り替える機構が、本実施形態の局部洗浄装置が備える切替機構４である。
【００２１】
切替機構４は、ノズルカバー２を一方向Ｄ１に沿ってスライドさせる駆動力（駆動機構３が与える駆動力）を利用して、ノズル本体１の相対位置を、第１の相対位置と第２の相対位置の間で切り替える機構である。ノズル本体１の第１の相対位置は、収納時やおしり洗浄時に選択される相対位置である。ノズル本体１の第２の相対位置は、ビデ洗浄時に選択される相対位置である。
【００２２】
切替機構４は、ノズル本体１とノズルカバー２の間に介在する筒状の中間部材５を用いて、構成されている（図３Ａ、図３Ｂ等参照）。中間部材５は、ノズル本体１に対して周方向の所定範囲内で移動自在に連結され、かつ、ノズルカバー２に対して一方向Ｄ１及び周方向の所定範囲内で移動自在に連結されている。切替機構４は、ノズルカバー２のスライド位置に応じて中間部材５を動作させ、中間部材５を介して、ノズルカバー２に対するノズル本体１の相対位置を切り替える機構である。切替機構４の詳細な構造については、後述する。
【００２３】
以下、本実施形態の局部洗浄装置が備える各構成について、さらに詳しく説明する。
【００２４】
（ノズル本体）
図３Ｂに示すように、ノズル本体１は、一方向Ｄ１に伸びるように形成されたロッド状の部材である。ノズル本体１は、その内部に、第１流路１１と第２流路１２を別々に有する（図４参照）。第１流路１１の下流端開口が、おしり洗浄用の洗浄水を上方に吐出させる第１吐水口１１０である。第２流路１２の下流端開口が、ビデ洗浄用の洗浄水を上方に吐出させる第２吐水口１２０である。
【００２５】
第１吐水口１１０と第２吐水口１２０は、ともにノズル本体１の前側部分に設けられており、第１吐水口１１０と第２吐水口１２０は一方向Ｄ１に並んで位置する。第２吐水口１２０は第１吐水口１１０よりも前側に位置する。なお、本実施形態の局部洗浄装置とは異なり、第１吐水口１１０からビデ洗浄用の洗浄水が吐出され、第２吐水口１２０からおしり洗浄用の洗浄水が吐出される構造も採用可能である。
【００２６】
（ノズルカバー）
ノズルカバー２は、ノズル本体１の外周を覆うように円筒状に形成された部材である（図３Ａ、図３Ｂ参照）。ノズル本体１とノズルカバー２は、一方向Ｄ１の所定範囲内において相対移動自在に連結されている。
【００２７】
ノズルカバー２は、局部洗浄用の洗浄水を上方に吐出させるための一つの貫通孔２０を有する。貫通孔２０は、筒状のノズルカバー２を径方向に貫通する孔であり、ノズル本体１が有する第１吐水口１１０と第２吐水口１２０の一方に選択的に連通するように設けられている。
【００２８】
ノズルカバー２の貫通孔２０が、ノズル本体１の第１吐水口１１０と第２吐水口１２０のいずれに連通するかは、ノズル本体１とノズルカバー２の相対的な位置関係によって決定される。つまり、ノズル本体１がノズルカバー２に対して第１の相対位置に保持されるときには、貫通孔２０は、おしり洗浄用の第１吐水口１１０に連通する。ノズル本体１がノズルカバー２に対して第２の相対位置に保持されるときには、貫通孔２０は、ビデ洗浄用の第２吐水口１２０に連通する。
【００２９】
本実施形態の局部洗浄装置において、ノズルカバー２は、ノズル本体１のうち前側から２／３程度を覆うように構成されているが、ノズル本体１の少なくとも前側部分（第１吐水口１１０と第２吐水口１２０が位置する部分）を覆うように構成されていればよい。
【００３０】
（ベース）
ベース９は、便器に設置されるベース本体９０と、ノズルカバー２（ひいてはノズルカバー２とノズル本体１からなるノズル全体）をスライド自在に支持する支持部９５を、一体に備える（図１、図２参照）。
【００３１】
支持部９５は、一方向Ｄ１に伸びるように設けられたガイドレール９５１と、ガイドレール９５１よりも前側に設けられた外周支持部９５３を含む。
【００３２】
ガイドレール９５１は、ノズルカバー２が一体に有する支持片部２１に対して、一方向Ｄ１にスライド自在に嵌り合うように構成されている。ノズルカバー２のスライド移動は、支持片部２１とガイドレール９５１が嵌り合うことのできる所定範囲内に規制される。
【００３３】
外周支持部９５３は、ノズルカバー２のうち一方向Ｄ１の一部領域を囲んで位置し、その一部領域を支持する。
【００３４】
（駆動機構）
駆動機構３は、ノズルカバー２を、最も後側の位置である収納位置Ｐ０と、収納位置Ｐ０よりも前側の第１洗浄位置Ｐ１と、第１洗浄位置Ｐ１よりも前側の第２洗浄位置Ｐ２との間で、一方向Ｄ１に沿って前後にスライドさせる機構である。
【００３５】
本実施形態の局部洗浄装置において、駆動機構３は、駆動モータ３１、ピニオンギア３２およびフレキシブルラック３３を含む。駆動モータ３１は、ベース本体９０に設置されている。ピニオンギア３２は、ベース本体９０が有するギア収納部９０２内に回転自在に収納されている。フレキシブルラック３３は、ベース本体９０が有するラック収納部９０３内にスライド自在に収納されている。
【００３６】
駆動機構３が備える駆動モータ３１によってピニオンギア３２が正逆回転し、ピニオンギア３２に噛み合うフレキシブルラック３３が進退することで、フレキシブルラック３３に連結されたノズルカバー２が一方向Ｄ１に沿って前進または後退する。
【００３７】
なお、駆動機構３はこの構造に限定されず、ノズルカバー２を一方向Ｄ１に沿って進退させることができるものであれば、他の構造も採用可能である。
【００３８】
（切替機構）
切替機構４は、上述したように、ノズル本体１のノズルカバー２に対する相対位置を、第１の相対位置（図１、図３Ａ、図４、図５、図８Ｄ参照）と、第２の相対位置（図６Ｄ、図７Ｄ、図８Ａ参照）の間で切り替える機構である。
【００３９】
切替機構４は、ノズル本体１とノズルカバー２の間に介在する筒状の中間部材５と、中間部材５を動作させる機構とで、構成されている。具体的には、中間部材５と、中間部材５の一部（後述の突起５１）が挿入されるようにノズルカバー２に設けられた溝部２５と、ノズルカバー２のスライドに伴って中間部材５を回転させる回転操作部７によって、切替機構４が構成されている。回転操作部７は、中間部材５の一部（後述の操作体５５）と、この一部に摺接（摺りながら接触）して中間部材５を回転させるようにベース９側に設けられた第１面９１０および第２面９２０を含む。
【００４０】
中間部材５について、さらに説明する。
【００４１】
中間部材５は、外方に突出する突起５１と操作体５５を有する。図３Ｂに示すように、突起５１は、中間部材５の周方向に距離をあけて二つ設けられている。操作体５５は、二つの突起５１のうち一方の突起５１の先端部分に、一体に設けられている。二つの突起５１のうち一方の突起５１からさらに外方に突出する部分が、操作体５５である。
【００４２】
ノズルカバー２の溝部２５について、さらに説明する。
【００４３】
ノズルカバー２の溝部２５は、中間部材５の二つの突起５１が一対一で挿入されるように、ノズルカバー２の周方向に距離をあけて二つ設けられている。
【００４４】
図３Ｂ、図９等に示すように、溝部２５は、一方向Ｄ１に伸びる中央溝２５０と、中央溝２５０の前側部分からノズルカバー２の周方向に延長された第１引掛溝２５１と、中央溝２５０の後側部分からノズルカバー２の周方向に延長された第２引掛溝２５２を含む。第１引掛溝２５１と第２引掛溝２５２は、中央溝２５０を通じて互いに連続しており、溝部２５は全体としてクランク状に形成されている。
【００４５】
中央溝２５０は、ここに挿入された突起５１が一方向Ｄ１に沿って移動することのできる形状を有する。第１引掛溝２５１と第２引掛溝２５２は、ノズルカバー２の周方向に沿って互いに反対側に延長された形状を有する。第１引掛溝２５１と第２引掛溝２５２はともに、突起５１が引っ掛かることのできる形状を有する（図９等参照）。
【００４６】
第１引掛溝２５１に引っ掛かる位置にある突起５１は、図９において矢印ａ１で示すようなクランク状の経路を通じて、第２引掛溝２５２に引っ掛かる位置にまで移動することができる。第２引掛溝２５２に引っ掛かる位置にある突起５１は、図９において矢印ａ２で示すようなクランク状の経路（矢印ａ１とは反対の経路）を通じて、第１引掛溝２５１に引っ掛かる位置にまで移動することができる。
【００４７】
中間部材５の突起５１が第１引掛溝２５１に引っ掛かる状態において、ノズル本体１は、ノズルカバー２に対して第１の相対位置（おしり洗浄用の相対位置）にある。突起５１が第２引掛溝２５２に引っ掛かる状態において、ノズル本体１は、ノズルカバー２に対して第２の相対位置（ビデ洗浄用の相対位置）にある。
【００４８】
ベース９側の第１面９１０と第２面９２０について、さらに説明する。
【００４９】
中間部材５の操作体５５が摺接するように設けられた第１面９１０と第２面９２０は、一方向Ｄ１に互いに距離をあけて位置し、互いに対向する。第１面９１０は、ベース本体９０に固定された第１ガイド部材９１が有する傾斜面である。第２面９２０は、ベース本体９０に固定された第２ガイド部材９２が有する傾斜面である。第２ガイド部材９２は、第１ガイド部材９１の前方に距離をあけて位置する。
【００５０】
第１面９１０と第２面９２０は共に、ノズルカバー２がスライドする方向（一方向Ｄ１）に対して傾斜した面であり、僅かに湾曲している。第１面９１０と第２面９２０は、互いに略平行である。
【００５１】
ノズルカバー２と共に中間部材５が一方向Ｄ１に沿ってスライドする際に、中間部材５の操作体５５が第１面９１０または第２面９２０に摺接することで、中間部材５が周方向に回転し、その回転位置を変更する。
【００５２】
このように、本実施形態の局部洗浄装置では、中間部材５に設けられた操作体５５と、ベース９に設けられた第１面９１０および第２面９２０で、中間部材５を周方向に回転させる回転操作部７が構成されている。
【００５３】
本実施形態の局部洗浄装置では、ノズルカバー２が一方向Ｄ１に沿って前後にスライドする際に、中間部材５の操作体５５が第１面９１０や第２面９２０に摺接することで、中間部材５のノズル本体１に対する回転位置が、二つの回転位置の間で切り替えられる。この二つの回転位置は、おしり洗浄時に選択される第１の回転位置と、ビデ洗浄時に選択される第２の回転位置である。
【００５４】
ノズルカバー２が一方向Ｄ１の後側にスライドして収納位置Ｐ０に至る際に、中間部材５が第２の回転位置にあれば、中間部材５の操作体５５は第１面９１０に摺接する（図８Ａ〜図８Ｄ参照）。操作体５５が第１面９１０に摺接することで、中間部材５は第１の回転位置にまで回転する。これにより、突起５１が溝部２５の第１引掛溝２５１に引っ掛かり、ノズル本体１が、おしり洗浄用の第１の相対位置に保持される。
【００５５】
ノズルカバー２が一方向Ｄ１の前側にスライドし、第１洗浄位置Ｐ１を通過して第２洗浄位置Ｐ２に至るときに、中間部材５が第１の回転位置にあれば、中間部材５の操作体５５は第２面９２０に摺接する（図６Ａ〜図６Ｄ、図７Ａ〜図７Ｄ参照）。操作体５５が第２面９２０に摺接することで、中間部材５は第２の回転位置にまで回転する。これにより、突起５１が溝部２５の第２引掛溝２５２に引っ掛かり、ノズル本体１が、ビデ洗浄用の第２の相対位置に保持される。
【００５６】
（抵抗付与機構）
さらに、本実施形態の局部洗浄装置は、中間部材５が第１の回転位置と第２の回転位置の間で切り替わる途中で、中間部材５の回転に弾性的な抗力を付与するための機構を備えている。この機構が、中間部材５が不意に回転することを抑える抗力付与機構８である。
【００５７】
抗力付与機構８は、中間部材５に一体に設けられた弾性部材５７と、中間部材５が回転する際に弾性部材５７の一部（後述の突起部分５７１）が押し当たるようにノズル本体１に設けられた凸状部１６を備える。
【００５８】
弾性部材５７は、中間部材５の周方向に沿って伸びる板バネ状の部材であり、弾性部材５７の長手方向の両端部が、中間部材５の後側の端縁部に、一体に連結されている。弾性部材５７の長手方向の中央部分からは、突起部分５７１が後側に突出している（図７Ａ〜図７Ｄ等参照）。
【００５９】
中間部材５が第１の回転位置と第２の回転位置の間で切り替わる際に、弾性部材５７の突起部分５７１が凸状部１６に押し当たることで、板バネ状の弾性部材５７が全体的に撓み、中間部材５の回転途中で、回転に対して弾性的な抗力を付与する。
【００６０】
（第２洗浄位置に至るときの動作）
次に、ノズルカバー２が前側にスライドしてビデ洗浄用の第２洗浄位置Ｐ２に至るときの各部の動作を、図６Ａ〜図６Ｄ、図７Ａ〜図７Ｄに基づいて説明する。
【００６１】
図６Ａ、図７Ａに示す状態において、中間部材５は、おしり洗浄時に選択される第１の回転位置にある。このとき、中間部材５の突起５１が第１引掛溝２５１に引っ掛かった状態で、ノズル本体１は、ノズルカバー２に対して第１の相対位置に保持されている。第１の相対位置において、ノズルカバー２の貫通孔２０は、おしり洗浄用の第１吐水口１１０と連通している。
【００６２】
ここからノズルカバー２が前側にスライドすると、図６Ｂに示すように、操作体５５はベース９側の第２面９２０に摺接しながら中間部材５を周方向に回転させ、これにより突起５１が第１引掛溝２５１を抜けて中央溝２５０の前側部分に至る。
【００６３】
さらにノズルカバー２が前側にスライドすると、図６Ｃに示すように、操作体５５が第１面９１０に押し当たった状態で、突起５１が中央溝２５０内を一方向Ｄ１に沿って後側に移動する。
【００６４】
さらに、ノズルカバー２が第２洗浄位置Ｐ２に至るまで前側にスライドすると、図６Ｄに示すように、操作体５５は第２面９２０に摺接しながら中間部材５を周方向に回転させ、中間部材５を第２の回転位置に切り替える。この段階で、突起５１は第２引掛溝２５２に引っ掛かる状態にあり、ノズル本体１は、ノズルカバー２に対して第２の相対位置に保持される。第２の相対位置において、ノズルカバー２の貫通孔２０は、ビデ洗浄用の第２吐水口１２０と連通する。
【００６５】
また、図７Ａ〜図７Ｄに示すように、中間部材５が第１の回転位置から第２の回転位置にまで回転する途中（第１の回転位置と第２の回転位置の中間位置）で、中間部材５と一体に回転する弾性部材５７の突起部分５７１が、ノズル本体１の凸状部１６に押し当たる。突起部分５７１は、弾性部材５７全体が撓むことによって、凸状部１６を乗り越えて回転する。このとき、中間部材５には回転に対する弾性的な抗力が付与される。
【００６６】
（収納位置に至るときの動作）
次に、ノズルカバー２が後側にスライドして収納位置Ｐ０に至るときの各部の動作を、図８Ａ〜図８Ｄに基づいて順に説明する。
【００６７】
図８Ａの状態において、中間部材５は、ビデ洗浄時に選択される第２の回転位置にある。このとき、中間部材５の突起５１が第２引掛溝２５２に引っ掛かった状態で、ノズル本体１は、ノズルカバー２に対して第２の相対位置に保持されている。第２の相対位置において、ノズルカバー２の貫通孔２０は、ビデ洗浄用の第２吐水口１２０と連通している。
【００６８】
ここからノズルカバー２が後側にスライドすると、図８Ｂに示すように、操作体５５はベース９側の第１面９１０に摺接しながら中間部材５を周方向に回転させ、これにより突起５１が第２引掛溝２５２を抜けて中央溝２５０の後側部分に至る。
【００６９】
さらにノズルカバー２が後側にスライドすると、図８Ｃに示すように、操作体５５が第２面９２０に押し当たった状態で、突起５１が中央溝２５０内を一方向Ｄ１に沿って前側に移動する。
【００７０】
さらに、ノズルカバー２が収納位置Ｐ０に至るまで後側にスライドすると、図８Ｄに示すように、操作体５５は第１面９１０に摺接しながら中間部材５を周方向に回転させ、中間部材５を第１の回転位置に切り替える。この段階で、突起５１は第１引掛溝２５１に引っ掛かる状態にあり、ノズル本体１は、ノズルカバー２に対して第１の相対位置に保持される。第１の相対位置において、ノズルカバー２の貫通孔２０は、おしり用の第１吐水口１１０と連通する。
【００７１】
中間部材５が第２の回転位置から第１の回転位置にまで回転する途中においても、中間部材５が有する弾性部材５７の突起部分５７１が凸状部１６に押し当たり、弾性部材５７全体が撓むことによって、中間部材５の回転に弾性的な抗力が付与される。
【００７２】
このように、本実施形態の局部洗浄装置によれば、ノズルカバー２が収納位置Ｐ０にあるときは、ノズルカバー２の貫通孔２０がおしり洗浄用の第１吐水口１１０に連通するように、自動的にセットされる。
【００７３】
収納位置Ｐ０にあるノズルカバー２が前側にスライドすると、ノズルカバー２は、貫通孔２０が第１吐水口１１０に連通する状態を、突起５１と第１引掛溝２５１の引っ掛かりにより保持しながら、第１洗浄位置Ｐ１に至るまでノズル本体１と一体にスライドする。
【００７４】
さらにノズルカバー２が、第１洗浄位置Ｐ１を超えて第２洗浄位置Ｐ２に至るまで前側にスライドすると、ノズルカバー２の貫通孔２０がビデ洗浄用の第２吐水口１２０に連通するように、ノズルカバー２とノズル本体１の相対位置が切り替わる。ここで切り替わったノズルカバー２とノズル本体１の相対位置は、突起５１と第２引掛溝２５１の引っ掛かりにより保持される。
【００７５】
ここからノズルカバー２が収納位置Ｐ０に至るまで後側にスライドすると、ノズルカバー２の貫通孔２０がおしり洗浄用の第１吐水口１１０に連通するように、ノズルカバー２とノズル本体１の相対位置が切り替わる。
【００７６】
したがって、本実施形態の局部洗浄装置によれば、ノズルカバー２が第１洗浄位置Ｐ１にあるときには、おしり洗浄用の第１吐水口１１０とノズルカバー２の貫通孔２０を通じて洗浄水を上方に吐出し、第２吐水口１２０はノズルカバー２で覆うことができる。ノズルカバー２が第２洗浄位置Ｐ２にあるときには、ビデ洗浄用の第１吐水口１１０とノズルカバー２の貫通孔２０を通じて洗浄水を上方に吐出し、第２吐水口１２０はノズルカバー２で覆うことができる。
【００７７】
しかも、ノズルカバー２が収納位置Ｐ０と第１洗浄位置Ｐ１の間で前後にスライドするときに、ノズルカバー２とノズル本体１の相対位置は、第１引掛溝２５１に突起５１が引っ掛かることによって、機構的に保持される。ノズルカバー２が第１洗浄位置Ｐ１を超えて第２洗浄位置Ｐ２に至るまで前側にスライドしたときに、ノズルカバー２とノズル本体１の相対位置は、中間部材５の回転によって円滑に切り替えられる。ここで切り替えられたノズルカバー２とノズル本体１の相対位置は、第２引掛溝２５１に突起５１が引っ掛かることによって、機構的に保持される。
【００７８】
（効果）
以上、添付図面に基づいて詳述したように、本実施形態の局部洗浄装置は、ノズル本体１、ノズルカバー２、ベース９、駆動機構３および切替機構４を具備する。
【００７９】
ノズル本体１は、一方向Ｄ１に伸びるように形成され、第１吐水口１１０と第２吐水口１２０を一方向Ｄ１に沿って互いに距離をあけて有する。
【００８０】
ノズルカバー２は、ノズル本体１の少なくとも一部を覆い、かつノズル本体１との間で相対位置が変更自在となるように連結され、第１吐水口１１０と第２吐水口１２０の一方に選択的に連通可能な一つの貫通孔２０を有する。
【００８１】
ベース９は、ノズルカバー２を一方向Ｄ１に沿って前後にスライド自在に支持する。
【００８２】
駆動機構３は、ノズルカバー２を一方向Ｄ１にスライドさせ、ベース９に対するノズルカバー２のスライド位置を、所定の収納位置Ｐ０と、収納位置Ｐ０より前側の第１洗浄位置Ｐ１と、第１洗浄位置Ｐ１より前側の第２洗浄位置Ｐ２との間で、自在に変更させる。
【００８３】
切替機構４は、ノズルカバー２に対するノズル本体１の相対位置を、第１吐水口１１０が貫通孔２０に連通する第１の相対位置と、第２吐水口１２０が貫通孔２０に連通する第２の相対位置との間で切り替える。
【００８４】
切替機構４は、中間部材５、溝部２５および回転操作部７を備える。中間部材５は、ノズル本体１に対して周方向に回転自在に装着され、かつ、外方に突出する突起５１を有する。溝部２５は、突起５１が挿入されるようにノズルカバー２に形成されている。回転操作部７は、中間部材５をノズルカバー２のスライド位置に応じて回転させる。
【００８５】
溝部２５は、互いに連続し、かつ突起５１が選択的に引っ掛かることのできる第１引掛溝２５１と第２引掛溝２５２を含む。
【００８６】
回転操作部７は、ノズルカバー２が収納位置Ｐ０にあるときには、中間部材５を、突起５１が第１引掛溝２５１に引っ掛かる第１の回転位置に保持させ、これにより、ノズル本体１をノズルカバー２に対して第１の相対位置で保持させる。回転操作部７は、ノズルカバー２が第２洗浄位置Ｐ２にあるときには、中間部材５を、突起５１が第２引掛溝２５２に引っ掛かる第２の回転位置に保持させ、これにより、ノズル本体１をノズルカバー２に対して第２の相対位置で保持させる。
【００８７】
したがって、本実施形態の局部洗浄装置では、ノズル本体１の第１吐水口１１０と第２吐水口１２０のうち、一方だけを貫通孔２０に連通させて局部洗浄を行い、第１吐水口１１０と第２吐水口１２０のうち使用しない側はノズルカバー２で覆うことができる。これにより、第１吐水口１１０と第２吐水口１２０のうち使用しない側に汚れが付着することが抑えられる。
【００８８】
加えて、ノズル本体１とノズルカバー２の相対位置は、突起５１が第１引掛溝２５１に引っ掛かるか、または第２引掛溝２５２に引っ掛かることによって、機構的に保持される。そのため、外力（たとえば洗浄水供給用のホースのテンション等）がかかっても、ノズル本体１とノズルカバー２の相対位置が不意に切り替わることは抑えられる。しかも、駆動機構３によりノズルカバー２をスライドさせれば、ノズル本体１とノズルカバー２の相対位置は円滑に切り替わるので、駆動機構３として大きな出力の機構（大型のモータ等）を備える必要がなく、機構全体のコンパクト化や、低コスト化が図られる。
【００８９】
また、本実施形態の局部洗浄装置は、下記の構成を付加的に備える。
【００９０】
つまり、本実施形態の局部洗浄装置において、溝部２５は、第１引掛溝２５１と第２引掛溝２５２の間に設けられた中央溝２５０を、さらに含む。中央溝２５０は、突起５１が一方向Ｄ１に沿って前後に移動可能となるように設けられている。第１引掛溝２５１は、中央溝２５０の前側の部分から周方向に沿って延長されている。第２引掛溝２５２は、中央溝２５０の後側の部分から周方向に沿って第１引掛溝２５１とは反対側に延長されている。
【００９１】
したがって、本実施形態の局部洗浄装置では、中間部材５の突起５１が、中央溝２５０を通じて第１引掛溝２５１と第２引掛溝２５２の間で移動することによって、ノズル本体１の相対位置が第１の相対位置と第２の相対位置の間で円滑に切り替わる。
【００９２】
また、本実施形態の局部洗浄装置は、下記の構成を付加的に備える。
【００９３】
つまり、本実施形態の局部洗浄装置において、回転操作部７は、中間部材５に設けられた操作体５５と、ベース９に設けられた第１面９１０と、ベース９の第１面９１０とは一方向Ｄ１に離れた箇所に設けられた第２面９２０を含む。回転操作部７は、ノズルカバー２が一方向Ｄ１の後側にスライドして収納位置Ｐ０に至るときに、第１面９１０に操作体５５が摺接することで中間部材５を第１の回転位置にまで回転させる。回転操作部７は、ノズルカバー２が一方向Ｄ１の前側にスライドして第１洗浄位置Ｐ１から第２洗浄位置Ｐ２に至るときに、第２面９２０に操作体５５が摺接することで中間部材５を第２の回転位置にまで回転させる。
【００９４】
このように、本実施形態の局部洗浄装置では、ノズルカバー２を前後にスライドさせれば、操作体５５が第１面９１０や第２面９２０に摺接することによって、ノズル本体１とノズルカバー２の相対位置が円滑に切り替わる。そのため、駆動機構３として大きな出力を発揮する機構を備える必要がなく、機構全体のコンパクト化や、低コスト化が図られる。
【００９５】
また、本実施形態の局部洗浄装置は、下記の構成を付加的に備える。
【００９６】
つまり、本実施形態の局部洗浄装置において、操作体５５は、突起５１と一体に設けられている。
【００９７】
したがって、本実施形態の局部洗浄装置によれば、突起５１と操作体５５を有する中間部材５をコンパクトに形成することができ、装置全体のコンパクト化や低コスト化が図られる。
【００９８】
また、本実施形態の局部洗浄装置は、下記の構成を付加的に備える。
【００９９】
つまり、本実施形態の局部洗浄装置は、抗力付与機構８をさらに具備する。抗力付与機構８は、中間部材５が第１の回転位置と第２の回転位置の間で切り替わる途中で、中間部材５の回転に弾性的な抗力を付与する機構である。
【０１００】
したがって、本実施形態の局部洗浄装置によれば、中間部材５が回転してノズル本体１とノズルカバー２の相対位置が不意に変更されるといった事態が、より効果的に抑えられる。
【０１０１】
また、本実施形態の局部洗浄装置は、下記の構成を付加的に備える。
【０１０２】
つまり、本実施形態の局部洗浄装置において、抗力付与機構８は、中間部材５に設けられた弾性部材５７と、ノズル本体１に設けられた凸状部１６を含む。抗力付与機構８は、中間部材５が第１の回転位置と第２の回転位置の間で切り替わる途中で、弾性部材５７の一部が凸状部１６に当たって弾性的な抗力を付与するように構成されている。
【０１０３】
したがって、本実施形態の局部洗浄装置によれば、中間部材５が回転してノズル本体１とノズルカバー２の相対位置が不意に変更されるといった事態が、弾性部材５７と凸状部１６を用いたシンプルな構造によって、効果的に抑えられる。
【０１０４】
以上、添付図面に示す実施形態に基づいて局部洗浄装置を説明したが、局部洗浄装置は前記実施形態に限定されず、適宜の設計変更を行うことが可能である。
【符号の説明】
【０１０５】
１  ノズル本体
１１０  第１吐水口
１２０  第２吐水口
１６  凸状部
２  ノズルカバー
２０  貫通孔
２５  溝部
２５０  中央溝
２５１  第１引掛溝
２５２  第２引掛溝
３  駆動機構
４  切替機構
５  中間部材
５１  突起
５５  操作体
５７  弾性部材
７  回転操作部
８  抗力付与機構
９  ベース
９１０  第１面
９２０  第２面
Ｄ１  一方向
Ｐ０  収納位置
Ｐ１  第１洗浄位置
Ｐ２  第２洗浄位置
【図１】
2018028244.tif 000003
【図２】
2018028244.tif 000004
【図３】
2018028244.tif 000005
【図４】
2018028244.tif 000006
【図５】
2018028244.tif 000007
【図６】
2018028244.tif 000008
【図７】
2018028244.tif 000009
【図８】
2018028244.tif 000010
【図９】
2018028244.tif 000011